(57)【要約】【課題】本発明は、移動体の速度の変動に応じて連続的に補間曲線の曲率を変化させて精度良く伝送路特性を求めることを可能とするとともに、受信装置の大型化や複雑化を抑制する受信装置を提供すること目的とする。【解決手段】ＳＰシンボルに対して時間軸方向にスプライン補間をする際に、両端の点（ｔ＝ｔi-1、ｔi+2の点）における二階微分値を、移動体の速度に応じた０とは限らない値とする。このように構成することによって、曲率が移動体の速度に応じたものとなる補間曲線Ｓia、Ｓibを求めることが可能となる。【選択図】図４
2009044443.tif 000002
【特許請求の範囲】
【請求項１】
時間軸方向に周期的に配置されたパイロット信号を備える受信信号に対して時間軸方向に前記パイロット信号を補間することで時間軸方向の伝送路特性を推定する補間部を備えるとともに、移動体に備えられる受信装置において、
前記補間部が、選択された複数の前記パイロット信号にスプライン補間を施すことで前記補間を行うものであり、前記スプライン補間によって得られる三次の補間曲線の曲率が、前記移動体の速度に基づいて決定されることを特徴とする受信装置。
【請求項２】
前記補間部が、前記選択された複数の前記パイロット信号の中で、最先のパイロット信号における二階微分値と、最後のパイロット信号における二階微分値と、を前記移動体の速度に基づいた値とすることを特徴とする請求項１に記載の受信装置。
【請求項３】
前記補間部が、前記選択された複数の前記パイロット信号の中の最先のパイロット信号における二階微分値を、最先から一つ後のパイロット信号における二階微分値に第１の係数を乗じたものとするとともに、最後のパイロット信号における二階微分値を、最後から一つ先のパイロット信号における二階微分値に第２の係数を乗じたものとすることを特徴とする請求項２に記載の受信装置。
【請求項４】
前記補間部が、前記最先のパイロット信号及び前記最後のパイロット信号におけるそれぞれの二階微分値を０にすることにより定められる、前記最先のパイロット信号及び前記最後のパイロット信号以外の前記選択された複数のパイロット信号のそれぞれにおける二階微分値に基づいて、前記第１の係数及び前記第２の係数を決定することを特徴とする請求項３に記載の受信装置。
【請求項５】
前記補間部が、過去に当該補間部において算出された前記パイロット信号における二階微分値に基づいて、前記第１の係数及び前記第２の係数を決定することを特徴とする請求項３または請求項４に記載の受信装置。
【請求項６】
前記移動体の速度を検出する速度検出部をさらに備え、
前記補間部が、当該速度検出部の検出結果に基づいて前記第１の係数及び前記第２の係数を決定することを特徴とする請求項３に記載の受信装置。
【請求項７】
時間軸方向に周期的に配置されたパイロット信号を備える受信信号に対して時間軸方向に前記パイロット信号を補間することで時間軸方向の伝送路特性を推定する伝送路特性推定ステップを備えた移動体における受信方法において、
前記伝送路特性推定ステップが、
複数の前記パイロット信号を選択する選択ステップと、
当該選択ステップによって選択された複数の前記パイロット信号にスプライン補間を施して、前記移動体の速度に基づいた曲率を有する三次の補間曲線を得る補間ステップと、
を備えることを特徴とする受信方法。
【発明の詳細な説明】
【技術分野】
【０００１】
本発明は、移動体通信を行う受信装置、特に、直交周波数分割多重（ＯＦＤＭ：Orthogonal Frequency Division Multiplex）方式で変調された信号を受信して復調する受信装置及び受信方法に関する。
【背景技術】
【０００２】
近年、デジタル圧縮符号化技術や高速通信技術の発展に伴い、衛星及び地上波による放送通信におけるデジタル化や、携帯電話などの移動体通信におけるデジタル化が実現されている。そして、放送信号や移動体通信におけるデジタル化の実現に伴い、このデジタル通信技術が、車載デジタル放送受信、携帯移動体通信、無線ＬＡＮ及びBluetoothなどの様々な方面で利用されている。
【０００３】
また、移動体通信の分野においては、受信装置が移動することにより受信する電波の周波数が変動するドップラーシフトや、直接波及び反射波が干渉することによって生じるフェージングなどの影響によって、受信信号が時間方向及び周波数方向に歪むことが問題となる。そして、このような受信信号における歪を補正するために、送信信号に、受信装置において補正を行うための信号が挿入されることがある。
【０００４】
特に、多値振幅位相変調方法などの送信するデータに基づいて送信信号の位相や振幅を変化させて送信を行う変調方法を用いる場合は、送信信号に、所定の値の信号が所定の間隔で挿入される。また、受信装置は、この信号を用いて振幅や位相の変化などの伝送路によって与えられる歪みを検出することで、伝送路特性を推定する。そして、この伝送路特性に基づいて受信信号に等化処理を施すことで受信信号の歪みを補正する。
【０００５】
この伝送路特性の求め方について、図７の受信信号の模式図を用いて説明する。図７の受信信号の一例に示すように、受信信号には周波数方向及び時間方向に配列されたデータシンボルと、上述した所定の値を有する信号であるパイロットシンボルとから成り、これらを総称してＯＦＤＭシンボル列と呼ぶ。また、図７は例としてＩＳＤＢ−Ｔ（Integrated Services Digital Broadcasting for Terrestrial）方式の地上波デジタルテレビ放送における受信信号について示しており、この場合パイロットシンボルとしてスキャッタードパイロットシンボル（以下において、「ＳＰシンボル」と呼ぶ。）が用いられている。
【０００６】
ＯＦＤＭシンボル列の周波数方向及び時間方向は、それぞれキャリア方向及びシンボル方向とも呼ばれる。また、図１において、時間方向に対応する時間番号（シンボル番号）をｔ（ｔ≧０の整数）で表し、周波数方向に対応するキャリア番号をｌ（０≦ｌ≦（Ｌ−１）の整数、Ｌ：サブキャリアの総本数）で表す。さらに、ｔは、ＯＦＤＭ信号のシンボル長を単位としたときの時刻を表すものであり、ｔ及びｌを一意に定めることによって一意に定まるＯＦＤＭシンボル列内の位置をキャリア位置と呼び、このキャリア位置を（ｔ，ｌ）にて表すものとする。
【０００７】
ＳＰシンボルは、ｌ＝３×（ｔ mod 4）＋１２ｐ、を満たすキャリア位置に配置される。なお、modは剰余演算を表し、ｐは整数である。即ち、図１に示すようにある時刻ｔにおける信号を注目したとき、ＳＰシンボルは周波数軸上に１２サブキャリア毎に配置されることとなる。そして、時刻ｔが１シンボル分だけ進むごとにＳＰ信号は、３サブキャリア分だけ周波数方向にシフトされる。換言すると、あるサブキャリアｌの信号を注目したとき、ＳＰシンボルが時間軸上に４シンボル毎に配置されることとなる。よって、例えば、時刻ｔ＝０では、キャリア位置（０，０）、（０，１２）、（０，２４）、（０，３６）、・・・にＳＰシンボルが配置され、時刻ｔ＝１では、キャリア位置（１，３）、（１，１５）、（１，２７）、（１，３９）、・・・にＳＰシンボルが配置される。また、このＳＰシンボルが配置されたキャリア位置以外のキャリア位置には、データシンボルが配置される。
【０００８】
図７に示すような受信信号に対して、受信装置はまず周波数軸方向及び時間軸方向のそれぞれに配置されたＳＰシンボルによって、各サブキャリアのシンボル毎、即ち、キャリア位置毎の伝送路特性を推定する。まず、同一サブキャリアに４シンボル毎に配置された各ＳＰシンボルのキャリア位置に対する伝送路特性を利用して、サブキャリアの時間軸方向に対する補間を行う。これにより、ＳＰシンボルが配置されるサブキャリアの全てのシンボルのキャリア位置に対して、その伝送路特性が推定される。即ち、時間軸方向に対して並ぶＳＰシンボルの間に配列されたデータシンボルに対して補間処理が行われ、各データシンボルにおける伝送路特性が推定される。そして、得られたＳＰシンボルが配置されるサブキャリアの伝送路特性を用いて、周波数軸方向への補間を行うことですべてのキャリア位置に対する伝送路特性が求められる。
【０００９】
また、時間軸方向における補間処理について、図８を用いて説明する。図８は、あるサブキャリアのＳＰシンボル間を時間軸方向に補間した場合について示したグラフである。補間方法には、線形補間やエルミート補間、ラグランジュ補間等の様々な方法があるが、容易かつ滑らかに連続的な曲線で補間することができるスプライン補間が広く用いられている。そして、図８に示すように、選択した４点（ｔ＝ｔi-1〜ｔi+2の点）のＳＰシンボルのそれぞれの間に対して三次のスプライン補間を行うことによって、それぞれのＳＰシンボル間が補間されてサブキャリアの時間軸方向における伝送路特性が推定される。
【００１０】
ただし、この補間方法では補間曲線を導出するためにＳＰシンボルの値だけでなく、他にも条件が必要となる。そして、従来は選択したｔ＝ｔi-1〜ｔi+2の４点の中の時間軸方向における最先及び最後の点、即ち、選択した４点の両端の点（ｔ＝ｔi-1、ｔi+1の点）における二階微分値を一律に０とする条件を加えて補間曲線を求め、時間軸方向の伝送路特性を導出することとしていた。しかしながら、この条件を与えることによって補間曲線を求める方法を採用すると、速度に応じて補間曲線の曲率を変化させることができないため、補間曲線と実際の伝送路特性との間に大きな差が生じる問題があった。
【００１１】
この問題について、図８を用いて具体的に説明する。まず、移動体の速度が遅い場合、時間軸方向に対して長い周期で伝送路特性が変動するために曲率が小さくなるため、実線で示す曲線Ｓfのような伝送路特性となるが、移動体の速度が速い場合、時間軸方向に対して短い周期で変動するために曲率が大きくなり、図８の破線で示す曲線Ｓsのような伝送路特性となる。このように、移動体の速度に応じて伝送路特性の曲率は大きく異なり、実際の伝送路特性は、移動体の速度に応じた曲率を有するものとなる。しかしながら、従来の二階微分値を一律に０とする条件を加えることによって得られる補間曲線は、速度に応じて補間曲線の曲率を変化させることが不可能であるため、実際の伝送路特性と補間曲線との間に大きな差が生じることがあった。
【００１２】
この問題に対し、移動体の速度に基づいて補間方法を切り替える方法を採用することによって、移動体の速度の変動に対応した補間を行うことができる受信装置が提案されている（特許文献１参照）。
【特許文献１】特開２００６−１４０９８７号公報
【発明の開示】
【発明が解決しようとする課題】
【００１３】
しかしながら、このような受信装置では、補間方法を切り替えるための切替器と、複数の補間を行うための複数の補間回路とが必要となるため、受信装置の大型化や複雑化を招来してしまう。さらに、補間方法を切り替えたときに、補間曲線の曲率が大きく変動して不連続的となる部分が生じてしまうため、この補間によって得られる伝送路特性に基づいて等化処理が行われる受信信号にも不連続的となる部分が生じてしまう。
【００１４】
このような問題を鑑みて、本発明は、移動体の速度の変動に応じて連続的に補間曲線の曲率を変化させて精度良く伝送路特性を求めることを可能とするとともに、受信装置の大型化や複雑化を抑制する受信装置を提供すること目的とする。
【課題を解決するための手段】
【００１５】
上記目的を達成するために、本発明における受信装置は、時間軸方向に周期的に配置されたパイロット信号を備える受信信号に対して時間軸方向に前記パイロット信号を補間することで時間軸方向の伝送路特性を推定する補間部を備えるとともに、移動体に備えられる受信装置において、前記補間部が、選択された複数の前記パイロット信号にスプライン補間を施すことで前記補間を行うものであり、前記スプライン補間によって得られる三次の補間曲線の曲率が、前記移動体の速度に基づいて決定されることを特徴とする。
【００１６】
また、上記構成の受信装置において、前記補間部が、前記選択された複数の前記パイロット信号の中で、最先のパイロット信号における二階微分値と、最後のパイロット信号における二階微分値と、を前記移動体の速度に基づいた値とすることとしても構わない。
【００１７】
また、上記構成の受信装置において、前記補間部が、前記選択された複数の前記パイロット信号の中の最先のパイロット信号における二階微分値を、最先から一つ後のパイロット信号における二階微分値に第１の係数を乗じたものとするとともに、最後のパイロット信号における二階微分値を、最後から一つ先のパイロット信号における二階微分値に第２の係数を乗じたものとすることとしても構わない。
【００１８】
このように構成することによって、第１の係数及び第２の係数を変化させるのみで、補間曲線の曲率を移動体の速度に応じて変化させることが可能となるため、容易に曲率を変化させることができるようになる。また、移動体の速度に応じて連続的に第１の係数及び第２の係数を変化させることとすることによって、連続的に曲率を変化させることができるようになる。
【００１９】
また、上記構成の受信装置において、前記補間部が、前記最先のパイロット信号及び前記最後のパイロット信号におけるそれぞれの二階微分値を０にすることにより定められる、前記最先のパイロット信号及び前記最後のパイロット信号以外の前記選択された複数のパイロット信号のそれぞれにおける二階微分値に基づいて、前記第１の係数及び前記第２の係数を決定することとしても構わない。
【００２０】
また、上記構成の受信装置において、前記補間部が、過去に当該補間部において算出された前記パイロット信号における二階微分値に基づいて、前記第１の係数及び前記第２の係数を決定することとしても構わない。
【００２１】
また、上記構成の受信装置において、前記移動体の速度を検出する速度検出部をさらに備え、前記補間部が、当該速度検出部の検出結果に基づいて前記第１の係数及び前記第２の係数を決定することとしても構わない。
【００２２】
また、上記構成の受信装置において、前記移動体の速度が０のときに、前記第１の係数及び前記第２の係数がそれぞれ所定の値となるとともに、前記移動体の速度が０より大きいときは、前記第１の係数及び前記第２の係数が、それぞれの前記所定の値よりも小さくなることとしても構わない。
【００２３】
本発明における受信方法は、時間軸方向に周期的に配置されたパイロット信号を備える受信信号に対して時間軸方向に前記パイロット信号を補間することで時間軸方向の伝送路特性を推定する伝送路特性推定ステップを備えた移動体における受信方法において、前記伝送路特性推定ステップが、複数の前記パイロット信号を選択する選択ステップと、当該選択ステップによって選択された複数の前記パイロット信号にスプライン補間を施して、前記移動体の速度に基づいた曲率を有する三次の補間曲線を得る補間ステップと、を備えることを特徴とする。
【発明の効果】
【００２４】
本発明によると、移動体の速度に応じた曲率を有する補間曲線を求めることが可能となるため、実際の伝送路特性と近い、精度の良い補間を行うことが可能となる。また、複数の補間方法から切り替えることなく補間を行うことができるため、連続的な補間を行うことが可能となるとともに受信装置の大型化や複雑化を抑制することができる。
【発明を実施するための最良の形態】
【００２５】
＜＜基本構成＞＞
＜受信装置の構成及び動作＞
まず、本発明における受信装置の構成例及び動作例について、図１を用いて説明する。図１は、本例における受信装置の内部構成を示すブロック図である。また、以下では、ＩＳＤＢ−Ｔ方式の地上波デジタルテレビ放送の受信装置を例に挙げて説明するが、他の通信方式のものであっても構わない。
【００２６】
図１に示す受信装置１は、デジタル放送信号を受信するアンテナ１０より所望の帯域のデジタル放送信号を選局してベースバンド信号に変換するチューナ部２と、チューナ部２で選局して得られたベースバンド信号を高速フーリエ変換（ＦＦＴ：Fast Fourier Transform）するＦＦＴ部３と、ＦＦＴ部３から出力される周波数軸のベースバンド信号に基づいて上述したＳＰシンボルの補間を行い伝送路特性の推定を行なうＳＰ補間部４と、ＳＰ補間部４によって推定された伝送路特性に基づいてＦＦＴ部３から出力されるベースバンド信号に等化処理を施して伝送中に受けた歪みを補正する等化器５と、等化器５で伝送中にうけた伝送路歪みが補正されたベースバンド信号をデジタル変調方式に基づいて復調するデジタル復調部７と、デジタル復調部７で復調されて得られたＭＰＥＧ符号化信号をＭＰＥＧ圧縮方式に基づいて復号化するＭＰＥＧデコーダ８と、を備えている。また、ＦＦＴ部３と、ＳＰ補間部４と、等化器５と、で復調部６が構成されており、この復調部６において、ＯＦＤＭ伝送方式に基づく復調処理を行う。
【００２７】
また、受信装置１の一連の受信動作について図１を用いて説明する。受信装置１では、まず、ＯＦＤＭ伝送方式によるデジタル放送をアンテナ１０より受信する。なお、ＯＦＤＭ方式は、１チャンネルの帯域内に互いに直交する多数のサブキャリアを多重して伝送する方式である。この際、チューナ部２において、所望するチャンネルの高周波信号であるＯＦＤＭ信号（デジタル放送信号）を選局し、選局したＯＦＤＭ信号をＩＦ（Intermediate Frequency）信号であるベースバンド信号に周波数変換（ダウンコンバート）するとともに増幅を行なう。そして、得られたベースバンド信号がＦＦＴ部３に与えられると、ＦＦＴ処理によって時間軸の信号となるベースバンド信号から周波数軸の信号となるベースバンド信号に変換される。
【００２８】
このＦＦＴ部３においてＦＦＴ処理を施す際、シンボル同期、搬送波周波数同期、及び、標本化周波数同期が確立される。即ち、伝送中に生じる、シンボル長（各シンボルの時間長）、搬送波周波数、及び、標本化周波数（サブキャリア間隔の周波数）のオフセットが補正される。このとき、シンボルの後半の一部と同一の信号よりなるとともにシンボル毎に設けられたガードインターバルが用いられることにより、シンボル同期及び搬送波周波数同期が確立される。また、後述するパイロットシンボルにより周波数オフセットの推定を行うことで、標本化周波数同期が確立される。なお、搬送波周波数同期の確立が、パイロットシンボルによる周波数オフセットの推定によって行われるものとしても構わない。
【００２９】
このＦＦＴ部３でＦＦＴ処理されたベースバンド信号は、上述した図７に示すように、周波数方向及び時間方向に配列されたデータシンボルとＳＰシンボルとから成るＯＦＤＭシンボル列となっている。
【００３０】
ＦＦＴ部３からのベースバンド信号はＳＰ補間部４に与えられ、伝送路特性の推定が行われる。具体的には、周波数軸方向及び時間軸方向それぞれに配置されたＳＰシンボルによって、各サブキャリアのシンボル毎、即ち、キャリア位置毎の伝送路特性を推定する。このとき、まず、ＳＰ補間部４内で生成した基準のＳＰシンボルによって、受信信号より得られたＳＰシンボルを複素除算することで、ＳＰシンボルのキャリア位置に対する伝送路特性を推定する。
【００３１】
そして、サブキャリア毎に、同一サブキャリアに４シンボル毎に配置された各ＳＰシンボルのキャリア位置に対する伝送路特性を利用して、時間軸方向に対する補間を行う。これにより、ＳＰシンボルを４シンボル毎に有するサブキャリアの全てのシンボルのキャリア位置に対して、その伝送路特性を推定する。即ち、時間軸方向に対して並ぶＳＰシンボルの間に配列されたデータシンボルに対して補間処理が成されることで、各データシンボルおける伝送路特性が推定される。この時間軸方向の伝送路特性の補間を行う際、ＩＩＲ（Infinite Impulse Response）型の低域通過フィルタにより、ＳＰシンボルより推定された伝送路特性の平均化処理が行われる。なお、この時間軸方向における補間方法の詳細な方法については後述する。
【００３２】
そして、時間軸方向の補間が行われた後に、図２に示すようにシンボル毎に周波数軸方向の補間を行う。図２では、例として時間軸方向の４シンボル目において、周波数軸方向の補間を行なう場合について示している。なお、図２では、簡単のために上述した方法によって時間軸方向に補間される補間ＳＰシンボルについて、補間を行う４シンボル目の補間ＳＰシンボルのみを示している。
【００３３】
このような方法により、ＳＰシンボルより直接、または、時間軸補間により３サブキャリア毎に推定された伝送路経路により、ＳＰシンボルの配置されていないサブキャリア全てのシンボルのキャリア位置に対して、その伝送路特性が推定される。即ち、周波数軸方向に対してＳＰシンボルを有するサブキャリア間に配列されたサブキャリアにおいて、そのデータシンボルにおける伝送路特性が推定される。この周波数軸方向の伝送路特性の補間を行う際、例えば、ＦＩＲ（Finite Impulse Response）型の低域通過フィルタに、ＳＰシンボルを有するサブキャリアに対して推定された伝送路特性が入力されることで、ＳＰシンボルの配置されていないサブキャリアの伝送路特性が推定される。
【００３４】
このようにして、ＳＰシンボルに基づいて全てのデータシンボルの伝送路特性が推定されると、ＦＦＴ部３からの周波数軸の信号から得られるデータシンボルそれぞれに対して、推定された伝送路特性が複素除算されることにより等化処理が成されて、伝送路が複数あることによる影響などによる振幅や位相における歪みが除去される。この等化処理として、例えば、推定された伝送路特性を直接除算するゼロ・フォーシング等化方式が用いられる。なお、このゼロ・フォーシング等化処理によると、雑音強調の問題があるため、この雑音強調の問題を軽減するものとして、最小平均２乗誤差（ＭＭＳＥ：Minimum Mean Square Error）等化方式がある。このＭＭＳＥ等化方式の場合、伝送路上で付加された雑音（付加雑音）の平均電力の値の推定も必要とされる。
【００３５】
このようにして、シンボル毎に等化処理がなされたベースバンド信号は、デジタル復調部７において、サブキャリア毎に設定されているデジタル変調方式によって復調される。なお、このデジタル変調方式としては、例えば、ＱＡＭ（Quadrature Amplitude Modulation）やＱＰＳＫ（Quadrature Phase Shift Keying）などがある。そして、デジタル復調部７で復調されて得られたＭＥＰＧ符号化信号がＭＥＰＧデコーダ８に与えられると、ＭＰＥＧ圧縮方式に基づいて復号化されて、映像信号が受信装置１から出力される。そして、この出力される映像信号が更にディスプレイなどの表示装置（不図示）に与えられることで、映像が再生される。
【００３６】
＜時間軸方向の補間方法＞
次に、上述した時間軸方向における補間方法の詳細について説明する。なお、本例では図３を用いて、４点のＳＰシンボルを用いて三次のスプライン補間を行なう場合について説明する。図３は、三次のスプライン補間を用いて時間軸方向に補間を行なった場合の補間曲線を示したグラフであり、例としてｉ−１〜ｉ＋２番目（ｔ＝ｔi-1〜ｔi+2）のＳ
Ｐシンボルについてそれぞれ補間する場合を示している。また、これらのＳＰシンボル間の補間曲線をそれぞれＳi-1、Ｓi、Ｓi+1として、以下、補間曲線Ｓiを導出するための計算方法について説明する。
【００３７】
まず、補間曲線Ｓiは、本方法では三次式と仮定されるために、
Ｓi＝ａi（ｔ−ｔi）3＋ｂi（ｔ−ｔi）2＋ｃi（ｔ−ｔi）＋ｄi
で表すことができる。そして、この係数ａi〜ｄiをそれぞれ求めることで補間曲線Ｓiを得ることができる。また、この補間曲線Ｓiを導出するための条件として、これらの関数がそれぞれ境界において連続する、即ち、これらの補間曲線の境界点における一階微分値及び二階微分値が等しい値をとることとする。
【００３８】
最初に、ｔ＝ｔiにおける二階微分値をｕiとすると、補間曲線Ｓiについて、
ｕi＝６ａi（ｔi−ｔi）＋２ｂi＝２ｂi
となることから、ｕi＝２ｂi、即ち、ｂi＝ｕi／２を求めることができる。なお、ｔ＝ｔiの点は補間曲線ＳiとＳi-1とに共通する点であるが、上述した二階微分値がそれぞれの境界点において等しいとする条件より、どちらの曲線から二階微分値を求めてもｕiとなる。
【００３９】
また、同様にｔ＝ｔi+1における二階微分値をｕi+1とすると、補間曲線Ｓiについて、
ｕi+1＝６ａi（ｔi+1−ｔi）＋２ｂi＝６ａi（ｔi+1−ｔi）＋ｕi
が得られ、この式をａiについて解くと、
ａi＝（ｕi+1−ｕi）／６（ｔi+1−ｔi）
となる。
【００４０】
また、ｔ＝ｔiのときのＳＰシンボルの値がｙiであり、Ｓiにｔi及びｙiを代入することによって、ｙi＝ｄiが求められる。同様に、ｔ＝ｔi+1のときの値がｙi+1であるため、それぞれをＳiに代入することによって、
ａi（ｔi+1−ｔi）3＋ｂi（ｔi+1−ｔi）2＋ｃi（ｔi+1−ｔi）＋ｄi＝ｙi+1
が求められる。また、ａi、ｂi、ｄiに上述した式を代入するとｃiについてｕi、ｕi+1で表すことができる。したがってｃiは、
ｃi＝（ｙi+1−ｙi）／（ｔi+1−ｔi）−（ｔi+1−ｔi）（２ｕi＋ｕi+1）／６
と表すことができる。
【００４１】
したがって、補間曲線Ｓiは、ａi〜ｃiを二階微分値ｕi、ｕi+1を用いた式で表すことが可能となり、この二階微分値ｕi、ｕi+1を求めることによって補間曲線Ｓiを求めることができる。なお、Ｓiは、（ｔi+1−ｔi）＝Δｔとして、以下の式（I）のよ
うに表すことができる。また、ＳＰシンボルは等間隔に配置されているため、例えば、（ｔi−ｔi-1）や（ｔi+1−ｔi）、（ｔi+2−ｔi+1）も全てΔｔとなる。
【００４２】
【数１】
2009044443.tif 000003
【００４３】
この式のうち、ｔi、ｔi+1、Δｔ、ｙi及びｙi+1は既知の値であるため、二階微分
値ｕi、ｕi+1の値が求められれば補間曲線Ｓiが求められる。このとき、上述した一階微分値がそれぞれの境界点において等しい値をとるという条件を加えることによって、二階微分値を求めることとする。この条件について、まずｔ＝ｔi+1の点について一階微分値が連続である条件について示した式を（II）に示す。
【００４４】
【数２】
2009044443.tif 000004
【００４５】
上式（II）に含まれるｃi+1は、ｃiと同様に、ｔi+1、ｔi+2、ｙi+1、ｙi+2、ｕi+1及びｕi+2を用いて表すことができ、ｔi+1、ｔi+2、ｙi+1、ｙi+2は既知の値であるため、未知数はｕi+1及びｕi+2となる。また、上述したようにａi〜ｃiに含まれる未知数はｕi及びｕi+1となる。したがって、上式（II）は、ｕi、ｕi+1及びｕi+2の３つの未知数を含んだ方程式となっている。そして、上式（II）のａi〜ｃiと、ｃi+1とについて、それぞれｕi、ｕi+1及びｕi+2で表した式を代入することによって以下の式（III）が得られる。
【００４６】
【数３】
2009044443.tif 000005
【００４７】
また、上式（III）のように、一階微分値が等しくなることを示す式は、ｔ＝ｔiの点についても求めることが可能である。そして、ｔ＝ｔiの点について求められる式は、以下の式（IV）のようになる。
【００４８】
【数４】
2009044443.tif 000006
【００４９】
ここで、両端の点（ｔ＝ｔi-1、ｔi+2の点）以外の点については、上述した一階微分値が等しくなるという条件式を立てることが可能であるが、両端の点（ｔ＝ｔi-1、ｔi+2の点）では４点（ｔ＝ｔi-1〜ｔi+2の点）以外の点の値を用いる必要があるために、条件式を立てることができない。そして、この連立方程式を解いて４つの二階微分値ｕi-1〜ｕi+2を求めるとともに補間曲線Ｓiを得るためにはあと二つの条件が必要であり、上述したように従来ではこの条件として、両端の点（ｔ＝ｔi-1、ｔi+2の点）の二階微分値ｕi-1、ｕi+2をそれぞれ定数である０として計算していた。
【００５０】
これに対し、本願発明では両端の点（ｔ＝ｔi-1、ｔi+2の点）の二階微分値ｕi-1、ｕi+2を、それぞれ０とは限らない変数とする。そして、この値を０とは限らない変数にすることによって、速度に応じた曲率を選択することが可能となる。
【００５１】
この両端の点（ｔ＝ｔi-1、ｔi+2の点）の二階微分値ｕi-1、ｕi+2の設定方法として、例えば、両端の点の一つ内側の点（ｔ＝ｔi、ｔi+1の点）の二階微分値ｕi、ｕi+1に比例する値、即ち、
ｕi-1＝αｕi、ｕi+2＝βｕi+1  …（V）
とすることができる。そして、比例係数であるパラメータα、βを速度に応じて変化させることで、速度に応じた曲率を有する補間曲線Ｓiを求めることが可能となる。
【００５２】
また、上式（V）を用いて上式（III）、（IV）を解いて得られるｕi、ｕi+1については、以下の式（VI）のようになる。
【００５３】
【数５】
2009044443.tif 000007
【００５４】
このようにして得られる上式（VI）の二階微分値ｕi、ｕi+1や既知の値であるｔi+1、ｔi+2、ｙi+1、ｙi+2を上式（I）に代入することで、速度に応じた曲率を有する補間曲線Ｓiを得ることができる。ここで、具体例を図４に示す。図４は、パラメータα、βを変化させた場合の補間曲線を示すグラフである。
【００５５】
図４では、パラメータα、βをともに正の値となるように設定されることで得られる補間曲線Ｓiaと、ともに負の値となるように設定されることで得られる補間曲線Ｓibと、をそれぞれ破線で示している。また、実線で示す補間曲線Ｓiは、パラメータα、βをともに０となるように設定することで得られる補間曲線であるものとする。
【００５６】
パラメータα、βをともに正の値とすると、補間曲線Ｓiaのように、パラメータα、βが０となる場合の補間曲線Ｓiよりも曲率が小さくなり、補間曲線は二点間を直接つなぐ直線に近い形状となる。一方、パラメータα、βをともに負の値とすると、補間曲線Ｓibのように、パラメータα、βが０となる場合の補間曲線Ｓiよりも曲率が大きくなり、補間曲線Ｓiから突出して乖離するような曲線となる。
【００５７】
そのため、本例のようにパラメータα、βを設定する場合においては、移動体の速度が遅い、即ち、時間軸方向に長い周期で変動する場合は、曲率を小さくするためにパラメータα、βが大きい値になるように制御すればよく、また、移動体の速度が速い、即ち、時間軸方向に短い周期で変動する場合は、曲率を大きくするためにパラメータα、βが小さい値になるように制御すればよい。
【００５８】
また、上述した例の他に、αが正かつβが負という場合も生じることがある。これは、移動体が大きく加速している場合であり、この場合、曲率が時間軸方向に沿って大きくなる補間曲線が得られる。一方、αが負かつβが正という場合は、移動体が急に減速する場合であり、この場合、曲率が時間軸方向に沿って小さくなる補間曲線が得られる。なお、パラメータα、βの具体的な設定方法については、以下の実施例において詳細に説明する。
【００５９】
このように構成することによって、パラメータα、βを移動体の速度に応じて連続的に変化させることが可能となるため、補間曲線の曲率を連続的に変化させることができるようになる。また、必要となる装置がパラメータを決定する回路だけであり、複数の補間方法を行うための複数の補間用の回路や切り替えを行う装置が不要であるため、受信装置１の大型化や複雑化を抑制することができる。
【００６０】
なお、本例において、ｔ＝ｔi-1〜ｔi+2の４点の値を用いて補間曲線Ｓiを求めた後に、ｔ＝ｔi〜ｔi+3の４点の値を用いて補間曲線Ｓi+1のみを求めることとしても構わない。即ち、図３の例において、ｔ＝ｔi-1〜ｔi+2の４点のうち中央の二点（ｔ＝ｔi、ｔi+1の点）間の補間曲線Ｓiを求めるだけで、両端の点（ｔ＝ｔi-1〜ｔi+2の点）と中央の二点（ｔ＝ｔi、ｔi+1の点）との間の補間曲線Ｓi-1、Ｓi+1を求めないこととしても構わない。このように構成することによって、変数として設定した両端の点の二階微分値ｕi-1、ｕi+2が直接的に代入されて得られる補間曲線Ｓi-1、Ｓi+1を除外して、精度がより高い補間曲線Ｓiのみを求めることとすることができる。
【００６１】
ただし、本発明における受信装置１は、従来のように両端の点の二階微分値ｕi-1、ｕi+2を一律に０として設定するものではないため、両端の点の二階微分値ｕi-1、ｕi+2を直接的に代入して得られる補間曲線Ｓi-1、Ｓi+1であっても精度が高い。そのため、補間曲線Ｓi-1、Ｓi+1の両方またはいずれか一方を求め、利用することとしても構わない。
【００６２】
また、以上説明した基本構成における補間方法では、選択した４点を用いて補間曲線を求めることとしているが、補間に用いる点は４点に限るものではなく、ｔ＝ｔ0〜ｔN-1までのＮ点を用いて補間曲線を求めるものであっても構わない。この場合、上述した４点の場合と同様に、補間曲線を得るために必要となる二階微分値ｕ0〜ｕN-1を求める連立方程式は、以下の式（VII）のようになる。
【００６３】
【数６】
2009044443.tif 000008
【００６４】
このとき、両端の点（ｔ＝ｔ0、ｔN-1の点）の二階微分値ｕ0、ｕN-1を上述した４点の場合と同様に変数、例えば、ｕ0＝αｕ1、ｕN-1＝βｕN-2として設定し、残る二階微分値ｕ1〜ｕN-2を、上式（VII）にｕ0＝αｕ1、ｕN-1＝βｕN-2を代入して解くことによって求める。そして、既知の値とともに上式（I）に代入することで、曲率を速度に応じたものとした補間曲線を得ることができる。なお、上式（I）は、隣接する２点（ｔ＝ｔi、ｔi+1の点）のそれぞれの値から導出される補間曲線であるため、Ｎが二以上のどのような数であったとしても、上式（I）をそのまま適用することができる。
【００６５】
また、上述した４点の場合と同様に、選択したＮ個の点の中の中央近傍に位置する隣接した点の間に形成される少なくとも一つの補間曲線のみを求めることとしても構わない。また、全ての隣接する点の間に形成されるＮ−１個の補間曲線を全て求めることとしても構わないし、両端の点（ｔ＝ｔ0、ｔN-1の点）を含まない補間曲線を求めることとしても構わない。
【００６６】
また、補間を行うために必要となる演算の速度や、受信装置に保持するデータ量などの観点から、４、５点程度の点を用いて補間を行うことが好ましい。
【００６７】
また、パラメータα、βは、移動体の速度が０のときの値を所定の値として定め、移動体の速度の上昇とともに、基準値から値を減ずるように制御することとしても構わない。即ち、パラメータα、βの最大値を、移動体の速度が０であるときの所定の値であることとしても構わない。また、パラメータα、βの値が、−１〜４程度の間の値であるとしても構わない。
【００６８】
＜＜実施例＞＞
＜第一実施例＞
次に、本発明の第一実施例について図５を用いて説明する。図５は、第一実施例における受信装置の内部構成について示したブロック図であり、本発明の受信装置の基本構成について示した図１に相当するものである。なお、図１と同様のものについては同じ符号を付し、詳細な説明については省略する。また、以下では、図３に示した場合と同様に、４点のＳＰシンボル（ｔ＝ｔi-1〜ｔi+2の点）から時間軸方向における補間曲線Ｓiを求める場合について説明するが、上述したように補間に使用する点の数や求める補間曲線の位置についてはどのようなものであっても構わない。
【００６９】
図５に示すように、本実施例における受信装置１ａは、基本構成について示した図１の受信装置１と概ね同様の構成である。即ち、アンテナ１０よりデジタル放送信号を選局してベースバンド信号に変換するチューナ部２と、ベースバンド信号を高速フーリエ変換するＦＦＴ部３と、ＳＰシンボルの補間を行い伝送路特性の推定を行なうＳＰ補間部４と、ＳＰ補間部４によって推定された伝送路特性に基づいて等化処理を施す等化器５と、デジタル変調方式に基づいて復調するデジタル復調部７と、ＭＰＥＧ圧縮方式に基づいて復号化するＭＰＥＧデコーダ８と、を備えている。
【００７０】
ただし、本例の受信装置１ａは、ＳＰ補間部４における補間に用いるパラメータα、βを算出して決定するパラメータ算出部４ａと、移動体の速度を検出してパラメータ算出部４ａに入力する速度検出部４ｂと、をさらに備えており、ＦＦＴ部３と、ＳＰ補間部４と、パラメータ算出部４ａと、速度検出部４ｂと、等化器５とで復調部６ａが構成される。
【００７１】
ここで、パラメータ算出部４ａが算出するパラメータα、βは、上述した基本構成において説明したように、上式（V）において両端の二階微分値ｕi、ｕi+1を設定するために用いるものである。そして、本実施例では、パラメータ算出部４ａが速度検出部４ｂから入力される移動体の速度値ｖに基づいて、パラメータα、βを決定する。即ち、パラメータ算出部４ａでは以下の式（VIII）のような計算を行う。
【００７２】
α＝ｆα（ｖ）、β＝ｆβ（ｖ）  …（VIII）
【００７３】
ここで、ｆα、ｆβは、速度ｖの関数であり、速度ｖの値を代入することによってパラメータα、βが一意に求められる。また、ｆα、ｆβは連続的な関数であり、ｖの連続的な変化に応じてパラメータα、βも連続的に変化する。さらに、上述したように速度ｖが大きい場合にはパラメータα、βは小さい値となり、速度ｖが小さい値の場合には、パラメータα、βは大きな値となるように制御される。
【００７４】
このように構成することによって、移動体の速度に対応してパラメータα、βを変化させることが可能となるため、移動体の速度に対応した曲率を有する補間曲線を得ることができるようになる。したがって、精度良く伝送路特性を導出することが可能となり、受信信号の等化処理を良好なものにすることができるようになる。
【００７５】
なお、関数ｆα、ｆβは、実験的または経験的に求められるような関数で構わなく、移動体の速度と補間曲線の曲率との相関関係より求められるようなものとしても構わない。また、移動体の速度が０であるときパラメータα、βの値が、パラメータα、βの最大値となるようにしても構わない。
【００７６】
また、上述したように、補間に利用するＳＰシンボルを、ｔ＝ｔ0〜ｔN-1までのＮ点としても構わなく、両端の点（ｔ＝ｔ0、ｔN-1）の二階微分値を、ｕ0＝αｕ1、ｕN-1＝βｕN-2として、パラメータα、βの値を、上式（VIII）によって得られる値としても構わない。そして、このように構成しても、上述した４点を選択して補間曲線を求める場合と同様に、移動体の速度に対応した曲率を有する補間曲線を得ることができるようになる。
【００７７】
＜第二実施例＞
次に、本発明の第二実施例について図６を用いて説明する。図６は、第二実施例における受信装置の内部構成について示したブロック図であり、本発明の受信装置の基本構成について示した図１や、第一実施例について示した図５に相当するものである。なお、図１や図５と同様のものについては同じ符号を付し、詳細な説明については省略する。また、以下では、図３に示した場合と同様に、４点のＳＰシンボル（ｔ＝ｔi-1〜ｔi+2の点）から時間軸方向における補間曲線Ｓiを求める場合について説明するが、上述したように補間に使用する点の数や求める補間曲線の位置についてはどのようなものであっても構わない。
【００７８】
図６に示すように、本実施例における受信装置１ｂは、基本構成について示した図１の受信装置１や第一実施例について示した図５の受信装置１ａと概ね同様の構成である。即ち、アンテナ１０よりデジタル放送信号を選局してベースバンド信号に変換するチューナ部２と、ベースバンド信号を高速フーリエ変換するＦＦＴ部３と、ＳＰシンボルの補間を行い伝送路特性の推定を行なうＳＰ補間部４と、ＳＰ補間部４によって推定された伝送路特性に基づいて等化処理を施す等化器５と、デジタル変調方式に基づいて復調するデジタル復調部７と、ＭＰＥＧ圧縮方式に基づいて復号化するＭＰＥＧデコーダ８と、を備えている。
【００７９】
ただし、本例の受信装置１ｂは、ＳＰ補間部４における補間に用いるパラメータα、βを算出して決定するパラメータ算出部４ｃをさらに備えており、ＦＦＴ部３と、ＳＰ補間部４と、パラメータ算出部４ｃと、等化器５とで復調部６ｂが構成される。
【００８０】
ここで、パラメータ算出部４ｃが算出するパラメータα、βは、上述した基本構成において説明したように、上式（V）において両端の二階微分値ｕi、ｕi+1を設定するために用いるものである。そして、本実施例では、パラメータ算出部４ｃが、α＝β＝０とした場合の両端以外の点（ｔ＝ｔi、ｔi+1の点）の二階微分値である仮定値ｗi、ｗi+1に基づいて、パラメータα、βを決定する。即ち、パラメータ算出部４ｃでは以下の式（IX）のような計算を行う。
【００８１】
α＝ｈα（ｗi,ｗi+1）、β＝ｈβ（ｗi,ｗi+1）  …（IX）
【００８２】
ここで、上式（IX）の仮定値ｗi、ｗi+1は、α＝β＝０、即ち、両端の点（ｔ＝ｔi-1、ｔi+2の点）の二階微分値ｕi、ｕi+2をそれぞれ０と仮定した場合に上式（III）、（IV）から求められる、ｔ＝ｔi、ｔi+1の点における二階微分値であり、換言すれば従来の方法によって得られる二階微分値である。また、ｈα、ｈβは仮定値ｗi、ｗi+1の関数であり、実験的または経験的に求められるものである。
【００８３】
α＝β＝０とした場合の仮定値ｗi、ｗi+1はそれぞれ補間曲線の曲率を表しており、これらの値が正から負の値に急激に変動するなどの変動が大きい場合は、移動体の速度が大きいことを意味する。また、これらの値が一定であり変動が小さい場合は、移動体の速度が小さいことを意味する。したがって、仮定値ｗi、ｗi+1を利用してパラメータα、βを決定することとしても、移動体の速度に対応した曲率を有する補間曲線を得ることができる。
【００８４】
このように構成することによって、移動体の速度に対応してパラメータα、βを変化させることが可能となるため、移動体の速度に対応した曲率を有する補間曲線を得ることができるようになる。したがって、精度良く伝送路特性を導出することが可能となり、受信信号の等化処理を良好なものにすることができるようになる。
【００８５】
さらに、パラメータ算出部４ｃがＳＰ補間部４から仮定値ｗi、ｗi+1を得てパラメータα、βを算出する構成であるため、別途移動体の速度を検出するための装置を備える必要がなく、受信装置１ｂの大型化や複雑化を抑制することが可能となる。
【００８６】
なお、本実施例において、上式（IX）のように仮定値ｗi、ｗi+1を用いてパラメータα、βを求めることとしたが、過去に計算した二階微分値を用いることとしても構わない。図３を用いて具体的に説明すると、例えば、ｔ＝ｔi-1〜ｔi+2の４点の値を用いて補間曲線Ｓiを求めた後に、ｔ＝ｔi〜ｔi+3の４点の値を用いて補間曲線Ｓi+1を求める場合において、補間曲線Ｓiを求めるために算出した二階微分値ｕi、ｕi+1、ｕi+2を、その後に補間曲線Ｓi+1を求める際のパラメータα、βを求める際に利用しても構わない。
【００８７】
また、このように、過去に計算した二階微分値を用いる場合、最初に補間曲線を求める場合には過去に計算した二階微分値が存在しないため、上式（IX）を用いた方法によって二階微分値を算出することとしても構わない。
【００８８】
また、補間曲線Ｓi+1を求めるために必要となる両端の二階微分値ｕi、ｕi+3のｕiを、補間曲線Ｓiを求めた際に導出した二階微分値ｕiを直接利用して求めることとしても構わないし、補間曲線Ｓiを求めた際に導出した二階微分値ｕiに基づいた値としても構わない。一方、補間曲線Ｓi+1を求めるために必要となる二階微分値ｕi+3の方は、補間曲線Ｓiを求めるために算出した二階微分値ｕi、ｕi+1、ｕi+2を用いてパラメータβを導出するとともに、ｕi+3＝βｕi+2を設定して上式（III）（IV）に示すような連立方程式から求めることとしても構わない。ただし、上式（III）（IV）は補間曲線Ｓiを求めるための連立方程式であるため、補間曲線Ｓi+1を求める場合に適用するためには、上式（III）（IV）のｉをｉ＋１に変換する。
【００８９】
このように構成することによって、両端を０とすることによって得られる仮定値よりも信頼性の高い、過去に計算した二階微分値を用いてパラメータα、βを求めることが可能となるため、より精度よく補間曲線を求めることが可能となる。また、パラメータα、βを計算するための時間を短縮することが可能となる。
【００９０】
また、上述したように、補間に利用するＳＰシンボルを、ｔ＝ｔ0〜ｔN-1までのＮ点としても構わなく、両端の点（ｔ＝ｔ0、ｔN-1の点）における二階微分値をｕ0＝αｕ1、ｕN-1＝βｕN-2としても構わない。さらに、このパラメータα、βの値を、以下の式（X）から得られる値や、過去に計算した二階微分値を用いることによって得られる値としても構わない。
【００９１】
α＝ｈαN（ｗ1,ｗ2,…,ｗN-2）、β＝ｈβN（ｗ1,ｗ2,…,ｗN-2）  …（X）
【００９２】
上式（X）のｗ1,ｗ2,…,ｗN-2は、α＝β＝０、即ち、両端の点（ｔ＝ｔ0、ｔN-1の点）の二階微分値ｕ0、ｕN-1をそれぞれ０とした場合に上式（VII）から求められる、ｔ＝ｔ1〜ｔN-2のそれぞれの点における二階微分値であり、換言すれば従来の方法によって得られる二階微分値である。また、ｈαN、ｈβNは二階微分値ｗ1〜ｗN-2の関数であり、実験的または経験的に求められるものである。そして、このように構成しても、上述した４点を選択して補間曲線を求める場合と同様に、移動体の速度に対応した曲率を有する補間曲線を得ることができるようになる。
【産業上の利用可能性】
【００９３】
本発明は、移動体通信を行う受信装置、特に、ＯＦＤＭ方式で変調された信号を受信して復調する受信装置及び受信方法に関する。
【図面の簡単な説明】
【００９４】
【図１】は、本発明の基本構成となる受信装置の内部構成を示すブロック図である。
【図２】は、ＯＦＤＭシンボル列におけるパイロットシンボルとデータシンボルの関係を示す図である。
【図３】は、スプライン補間を用いて時間軸方向に補間を行なった場合の補間曲線を示すグラフである。
【図４】は、パラメータα、βを変化させた場合の補間曲線を示すグラフである。
【図５】は、本発明の第一実施例における受信装置の内部構成を示すブロック図である。
【図６】は、本発明の第二実施形態における受信装置の内部構成を示すブロック図である。
【図７】は、受信信号の模式図である。
【図８】は、あるサブキャリアのＳＰシンボル間を時間軸方向に補間した場合の補間曲線を示すグラフである。
【符号の説明】
【００９５】
１、１ａ、１ｂ    受信装置
２    チューナ部
３    ＦＦＴ部
４    ＳＰ補間部
４ａ、４ｃ    パラメータ算出部
４ｂ  速度検出部
５    等化器
６、６ａ、６ｂ    復調部
７    デジタル復調部
８    ＭＰＥＧデコーダ
１０    アンテナ
Ｓi-1〜Ｓi+1、Ｓia、Ｓib  補間曲線
ｙi-1〜ｙi+2  ＳＰシンボルの値
ｔi-1〜ｔi+2  時刻
【図１】
2009044443.tif 000009
【図２】
2009044443.tif 000010
【図３】
2009044443.tif 000011
【図４】
2009044443.tif 000012
【図５】
2009044443.tif 000013
【図６】
2009044443.tif 000014
【図７】
2009044443.tif 000015
【図８】
2009044443.tif 000016